(57)【特許請求の範囲】
【請求項１】
容器体口頸部２へ嵌合させた装着筒３内から主筒４を起立し、該主筒前面からシリンダ５を、かつ主筒上端から射出筒６を、それぞれ前方突設し、又射出筒前部に枢着させて垂設したトリガー７の上方後部に、シリンダ内へ嵌合させたプランジャ８前端部を回動不能に連結し、かつトリガーを前方付勢させ、更に射出筒前端部へ回動可能に液体噴出部１１を有するノズルキャップ１２を嵌合させ、これら嵌合部に、射出筒に対するノズルキャップ１２の回動で射出筒が有する射出筒孔６ａと液体噴出部１１とを連通させ、又遮断させることが自在な液体通路開閉機構を設け、トリガーの前後方向揺動で容器体内液体をシリンダ内へ吸込み、かつ該シリンダ内液体を液体噴出部から噴出可能に設けたトリガー式液体噴出容器において、
上記プランジャ８の前方下部に左右両面開放の嵌合用溝部１４を形成し、
上記ノズルキャップ１２または該ノズルキャップの外面へ嵌着させた操作筒１５の下部外面からアーム１６を後方突設して、該アームの後端部にロックプレート１９を設け、上記射出筒孔６ａと液体噴出部１１との遮断位置まで操作筒１５を回動させたとき、ロックプレート１９の上部が上記嵌合用溝部１４内へ嵌合すると共に、ロックプレート１９下部がシリンダ下部の前端面へ係合して、トリガー７の後方への引き寄せを不能にし、又射出筒孔６ａと液体噴出部１１との連通位置まで操作筒１５を回動させることでロックプレート１９の上部が嵌合用溝部１４から、かつ下部がシリンダ下部の前端面から、それぞれ離脱して、トリガーの後方への引き寄せを可能にした
ことを特徴とするトリガー式液体噴出容器。
【請求項２】
プランジャ８を、前面閉塞でかつ後面開口の弾性変形可能な後筒部２２と、該後筒部の前部外面へ後方筒部２３を嵌着させて前部２４を前方突出する、硬質の前筒部２５とで形成し、上記嵌合用溝部１４を前部２４外面に形成した
ことを特徴とする請求項１記載のトリガー式液体噴出容器。
【発明の詳細な説明】
【０００１】
【発明の属する技術分野】
本発明はトリガー式の液体噴出容器に関する。
【０００２】
【従来の技術】
例えば、実開平６−３１８５４号が示すように、容器体口頸部へ嵌合させた装着筒内から主筒を起立し、該主筒前面からシリンダを、かつ主筒上端から射出筒を、それぞれ前方突出し、又射出筒前部に枢着させて垂設したトリガーの上方後部に、上記シリンダ内へ嵌合させたプランジャ前端部を連結し、かつトリガーを前方付勢させ、トリガーの前後方向揺動で容器体内液体をシリンダ内へ吸込み、かつ該シリンダ内液体を射出筒前端から噴出可能に設けたトリガー式の液体噴出容器が知られている。
【０００３】
また、実開昭６２−１８７６６５号が示すように、上記射出筒前端部へ回動可能に液体噴出孔を有するノズルキャップを嵌合させ、これら嵌合部分に射出筒に対するノズルキャップの回動で射出筒が有する射出筒孔と液体噴出孔とを連通させ、また遮断させることが自在な液体通路開閉機構を設けることも知られている。
【０００４】
【発明が解決しようとする課題】
上記前者の公知例にあっては、不用意にトリガーを引寄せても射出筒前端から液体を噴出するから、このような不用意な液体噴出を防止するための安全装置を設けることが望まれ、また後者公知例はそのような安全装置として設けられたが、該後者公知例にあってもその安全装置を施した状態でトリガーを無理に引寄せると、僅かにトリガーおよびプランジャが後退、前進することで容器体内液体が吸込まれ、その結果吸込み弁から上記射出筒前部とノズルキャップとが形成する液体通路開閉機構までの液体流入部分内へ過剰に液体が流入することとなり、該状態からノズルキャップを回して上記開閉機構を開くと、上記過剰に充填されていた液体が液体噴出孔から噴出するおそれがあった。
本発明はトリガー操作を不能とする安全装置を設けることにより、上記のような不測の液体噴出を防止できるよう設けたものである。
【０００５】
【課題を解決するための手段】
第１の手段として、容器体口頸部２へ嵌合させた装着筒３内から主筒４を起立し、該主筒前面からシリンダ５を、かつ主筒上端から射出筒６を、それぞれ前方突設し、又射出筒前部に枢着させて垂設したトリガー７の上方後部に、シリンダ内へ嵌合させたプランジャ８前端部を回動不能に連結し、かつトリガーを前方付勢させ、更に射出筒前端部へ回動可能に液体噴出部１１を有するノズルキャップ１２を嵌合させ、これら嵌合部に、射出筒に対するノズルキャップ１２の回動で射出筒が有する射出筒孔６ａと液体噴出部１１とを連通させ、又遮断させることが自在な液体通路開閉機構を設け、トリガーの前後方向揺動で容器体内液体をシリンダ内へ吸込み、かつ該シリンダ内液体を液体噴出部から噴出可能に設けたトリガー式液体噴出容器において、
上記プランジャ８の前方下部に左右両面開放の嵌合用溝部１４を形成し、
上記ノズルキャップ１２または該ノズルキャップの外面へ嵌着させた操作筒１５の下部外面からアーム１６を後方突設して、該アームの後端部にロックプレート１９を設け、上記射出筒孔６ａと液体噴出部１１との遮断位置まで操作筒１５を回動させたとき、ロックプレート１９の上部が上記嵌合用溝部１４内へ嵌合すると共に、ロックプレート１９下部がシリンダ下部の前端面へ係合して、トリガー７の後方への引き寄せを不能にし、又射出筒孔６ａと液体噴出部１１との連通位置まで操作筒１５を回動させることでロックプレート１９の上部が嵌合用溝部１４から、かつ下部がシリンダ下部の前端面から、それぞれ離脱して、トリガーの後方への引き寄せを可能にした。
【０００６】
第２の手段として、上記第１の手段を有すると共に、プランジャ８を、前面閉塞でかつ後面開口の弾性変形可能な後筒部２２と、該後筒部の前部外面へ後方筒部２３を嵌着させて前部２４を前方突出する、硬質の前筒部２５とで形成し、上記嵌合用溝部１４を前部２４外面に形成した
ことを特徴とする請求項１記載のトリガー式液体噴出容器。
【０００７】
【発明の実施の形態】
以下、本発明に係るトリガー式液体噴出容器の実施形態を図面を参照しながら説明する。
まず、トリガー式液体噴出容器の公知の部分について簡単に説明すると、容器体１の口頸部２外面へ嵌合させた装着筒３内から主筒４を起立し、該主筒前面からシリンダ５を、かつ主筒上端から射出筒６を、それぞれ前方突設し、又射出筒前部に枢着させて垂設したトリガー７の上方後部に、シリンダ５内へ嵌合させたプランジャ８前端部を回動不能に連結し、かつトリガー７をシリンダ５に内装したバネ９でプランジャ８を介して前方付勢させる。
【０００８】
さらに、射出筒６前端部へノズル嵌合筒１０を介して回動可能に液体噴出部１１を有するノズルキャップ１２を嵌合させ、これらノズル嵌合筒１０とノズルキャップ１２とのそれぞれに、ノズル嵌合筒１０に対するノズルキャップ１２の回動で、射出筒が有する射出筒孔６ａと液体噴出部１１とを連通させ、又遮断させることが自在な溝１３からなる液体通路開閉機構を設け、トリガー７の前後方向揺動で容器体内液体をシリンダ５内へ吸込み、かつ該シリンダ内液体を液体噴出部１１から噴出可能に設けている。
【０００９】
本発明では、プランジャ８の前方下部に左右両面開放の嵌合用溝部１４を形成する。
また、ノズルキャップ１２の外面へ嵌着させた操作筒１５の下部外面からアーム１６を後方突設して、該アームの後端部にロックプレートを設ける。該ロックプレートは、アーム後端面に付設した嵌合板１７と該嵌合板下端から後方突設する下方湾曲の円弧状ガイド板１８とからなる。そして、嵌合板１７上部を嵌合用溝部１４内へ嵌合させると共に、嵌合板１７下部をシリンダ５下部の前端面へ、かつ円弧状ガイド板１８をシリンダ前端部下面へ、それぞれ係合させる。
なお、上記では操作筒１５を設けているが、これを省略してノズルキャップ１２からアーム１６を突設することも可能である。
【００１０】
次に、本実施形態の作用について説明する。
図１はトリガー７の後方への引寄せが可能な状態を示すもので、嵌合板１７上部は嵌合用溝部１４から、嵌合板下部はシリンダ５の下部前端面から、また、円弧状ガイド板１８はシリンダの前端部下面から、それぞれ離脱し、かつ、操作筒１５は連通位置に位置して、射出筒孔６ａと液体噴出部１１とを連通させている。
この状態においてはトリガー７の後方への引寄せが可能であり、トリガー７を後方へ引き寄せると、シリンダ５内の液体が吐出弁２０と射出筒孔６ａとを介して液体噴出部１１から噴出する。一方、トリガー７解放によりプランジャ８がバネ９の付勢力により前方移動すると、容器体内液体が吸込み弁２１を介してシリンダ内へ吸い込まれる。
【００１１】
液体噴出部１１からの液体の噴出を不能にするためには、操作筒１５を連通位置から射出筒孔６ａと液体噴出部１１とを遮断させる遮断位置まで回動させればよく、すると同時にアーム１６が同方向へ回動して円弧状ガイド板１８がシリンダ５の前端部下面へ摺動自在に係合することにより、嵌合板１７を案内してその上部を嵌合用溝部１４内へ嵌合させると共に、嵌合板下部をシリンダ５の下部前端面へ係合させる。この状態を示すのが図２及び図３で、トリガー７の後方への引寄せは不能である。
【００１２】
なお、図４に示すように、プランジャ８を、前面閉塞でかつ後面開口の弾性変形可能な後筒部２２と、該後筒部の前部外面へ後方筒部２３を嵌着させて前部２４を前方突出する、硬質の前筒部２５とで形成することにより、プランジャ８の強度をより高めることが可能である。このようにプランジャ８を２つの部材で形成する場合には、図示例のように前筒部の前部２４外周面に、凹溝２６を周設して該凹溝を嵌合用溝部１４とすることも可能である。
このように嵌合溝部１４を前部２４の全周にわたって周設することにより、該溝部をプランジャ８の下部にのみ形成する図１に比較してプランジャ８をシリンダ５に組付ける際の位置合わせが容易になる。
【００１３】
【発明の効果】
請求項１記載の発明に係るトリガー式液体噴出容器は、ロックプレートを備えたアームを操作筒から突設するため、操作筒の遮断位置ではトリガーの後方への引寄せが不能であり、従って、従来のように液体噴出孔と射出筒孔との遮断後におけるトリガー揺動に起因して液体が液体流入部分内へ過剰に流入して、該部分内の液圧が増大するといったことが防止される。
【００１４】
請求項２記載の発明に係るトリガー式液体噴出容器は、プランジャを後筒部と硬質の前筒部とで形成するため、プランジャの強度が向上する。
【図面の簡単な説明】
【図１】請求項１記載の発明に係るトリガー式液体噴出容器を示すもので、トリガー後方引寄せ可能時の状態を示す斜視図。
【図２】同じく、トリガー後方引寄せ不能時の状態を示す断面図。
【図３】同じく、図２の斜視図。
【図４】請求項２記載の発明に係るトリガー式液体噴出容器の図２相当図。
【符号の説明】
１  容器体
２  口頸部
３  装着筒
４  主筒
５  シリンダ
６  射出筒
６ａ  射出筒孔
７  トリガー
８  プランジャ
１１  液体噴出部
１２  ノズルキャップ
１４  嵌合用溝部
１５  操作筒
１６  アーム
１９  ロックプレート
２２  後筒部
２３  後方筒部
２４  前部
２５  前筒部
２６  凹溝
【図１】
0003805566.tif 000002
【図２】
0003805566.tif 000003
【図３】
0003805566.tif 000004
【図４】
0003805566.tif 000005